(57)【要約】  移動先のセルが複数存在する場合においても、マクロ／マイクロネットワークへの変更を与えずに、移動機のネットワーク間の移動を実現可能とする方法とシステムを提供する。複数のフェムトセル（ＨＮＢ５０１、ＨＮＢ５０２、ＨＮＢ５０３）を管理するノード（フェムトゲートウェイＨＮＢ−ＧＷ４０１）において、同一スクランブリングコードを使用しているフェムトセルを特定し、前記ノードは、移動元のマクロ／マイクロネットワークからのリロケーション要求を複数のフェムトセルに対して転送することで、正しい移動先からの情報を取得し、移動機のネットワーク間の移動を実現する。
2010110240.tif 000002
【特許請求の範囲】
【請求項１】
複数のフェムトセルを管理するノードにおいて、同一スクランブリングコードを使用しているフェムトセルを特定し、
前記ノードは、移動元のマクロ／マイクロネットワークからのリロケーション要求を複数のフェムトセルに対して転送することで、正しい移動先のフェムトセルからの情報を取得し、移動機のネットワーク間の移動を実現する、
ことを特徴とする、フェムトセルシステムにおけるマクロセル／マイクロセルとのモビリティ実現方法。
【請求項２】
複数のフェムトセルを管理するノードが、前記複数のフェムトセルにそれぞれ対応する複数のフェムト基地局に接続し前記複数のフェムト基地局を管理するゲートウェイからなり、
前記ゲートウェイは、前記移動元のマクロ／マイクロネットワークの基地局制御装置からのリロケーション要求を、上位のコアネットワークを介して受け取る、
ことを特徴とする、請求項１記載のフェムトセルシステムにおけるマクロセル／マイクロセルとのモビリティ実現方法。
【請求項３】
前記基地局制御装置は、前記移動機からスクランブリングコード情報を受信し、
前記基地局制御装置は、移動先のネットワークとセルＩＤ情報を取得し、
移動先が前記基地局制御装置配下のセルでない場合には、リロケーション要請（Ｒｅｌｏｃａｔｉｏｎ  Ｒｅｑｕｉｒｅｄ）メッセージを前記コアネットワークに送信し、
前記コアネットワークは、前記基地局制御装置から通知された基地局制御装置ＩＤから目的の基地局制御装置を特定し、リロケーション要求（Ｒｅｌｏｃａｔｉｏｎ  Ｒｅｑｕｅｓｔ）メッセージを前記ゲートウェイに送信し、
前記ゲートウェイは、配下のフェムト基地局に関連してセルＩＤに関連付けされているスクランブルコードを管理テーブルから検索し、同一のスクランブルコードを使用している複数のフェムト基地局を特定し、
前記ゲートウェイは、前記コアネットワークから受信したセルＩＤ情報を、各フェムト基地局が保持しているセルＩＤ情報に変換して、前記複数のフェムト基地局に対して転送し、
前記ゲートウェイは、前記複数のフェムト基地局からのリロケーション要求肯定（Ｒｅｌｏｃａｔｉｏｎ  Ｒｅｑｕｅｓｔ  ＡＣＫ）メッセージを受信した後、前記コアネットワークに対して、リロケーション要求の肯定（Ｒｅｌｏｃａｔｉｏｎ  Ｒｅｑｕｅｓｔ  ＡＣＫ）メッセージを送信し、
前記コアネットワークは、移動先のネットワークから許可が出たことを、前記基地局制御装置に対して通知し、
前記基地局制御装置は、前記コアネットワークからのリロケーションコマンドメッセージをトリガーに前記移動機に対してセル間の移動を要求し、前記移動機は移動先のセルと無線同期確立を行う、
ことを特徴とする請求項２記載のフェムトセルシステムにおけるマクロセル／マイクロセルとのモビリティ実現方法。
【請求項４】
前記移動機と無線同期を取ることができたフェムト基地局は、前記ゲートウェイに対して、前記移動機の移動を検出できたことを通知し、
前記ゲートウェイは前記コアネットワークに対してリロケーション検出（ＲＥｌｏｃａｔｉｏｎ  Ｄｅｔｅｃｔ）メッセージを送信する、
ことを特徴とする請求項３記載のフェムトセルシステムにおけるマクロセル／マイクロセルとのモビリティ実現方法。
【請求項５】
前記移動機はネットワークの移動が完了したことを、無線ベアラ再構成完了メッセージで前記フェムト基地局に通知を行い、
前記フェムト基地局は、前記移動機の移動が完了したことを、前記ゲートウェイを経由して前記コアネットワークに対してリロケーション完了メッセージで通知する、
ことを特徴とする請求項４記載のフェムトセルシステムにおけるマクロセル／マイクロセルとのモビリティ実現方法。
【請求項６】
複数のフェムトセルと、
前記複数のフェムトセルを管理するノードと、
を備え、
前記ノードにおいて、
同一スクランブリングコードを使用しているフェムトセルを特定し、
移動元のマクロ／マイクロネットワークからのリロケーション要求を前記複数のフェムトセルに対して転送することで、正しい移動先のフェムトセルからの情報を取得し、移動機のネットワーク間の移動を実現する、
ことを特徴とするフェムトセルシステム。
【請求項７】
複数のフェムトセルを管理するノードが、前記複数のフェムトセルにそれぞれ対応する複数のフェムト基地局に接続し前記複数のフェムト基地局を管理するゲートウェイからなり、
前記ゲートウェイは、前記移動元のマクロ／マイクロネットワークの基地局制御装置からのリロケーション要求を、上位のコアネットワークを介して受け取る、
ことを特徴とする請求項６記載のフェムトセルシステム。
【請求項８】
前記基地局制御装置は、前記移動機からスクランブリングコード情報を受信し、
前記基地局制御装置は、移動先のネットワークとセルＩＤ情報を取得し、
移動先が前記基地局制御装置配下のセルでない場合には、リロケーション要請（Ｒｅｌｏｃａｔｉｏｎ  Ｒｅｑｕｉｒｅｄ）メッセージを前記コアネットワークに送信し、
前記コアネットワークは、前記基地局制御装置から通知された基地局制御装置ＩＤから目的の基地局制御装置を特定し、リロケーション要求（Ｒｅｌｏｃａｔｉｏｎ  Ｒｅｑｕｅｓｔ）メッセージを前記ゲートウェイに送信し、
前記ゲートウェイは、配下のフェムト基地局に関連してセルＩＤに関連付けされているスクランブルコードを管理テーブルから検索し、同一のスクランブルコードを使用している複数のフェムト基地局を特定し、
前記ゲートウェイは、前記コアネットワークから受信したセルＩＤ情報を、各フェムト基地局が保持しているセルＩＤ情報に変換して、前記複数のフェムト基地局に対して転送し、
前記ゲートウェイは、前記複数のフェムト基地局からのリロケーション要求肯定（Ｒｅｌｏｃａｔｉｏｎ  Ｒｅｑｕｅｓｔ  ＡＣＫ）メッセージを受信した後、前記コアネットワークに対して、リロケーション要求の肯定（Ｒｅｌｏｃａｔｉｏｎ  Ｒｅｑｕｅｓｔ  ＡＣＫ）メッセージを送信し、
前記コアネットワークは、移動先のネットワークから許可が出たことを、前記基地局制御装置に対して通知し、
前記基地局制御装置は、前記コアネットワークからのリロケーションコマンドメッセージをトリガーに前記移動機に対してセル間の移動を要求し、前記移動機は移動先のセルと無線同期確立を行う、
ことを特徴とする請求項７記載のフェムトセルシステム。
【請求項９】
前記移動機と無線同期を取ることができたフェムト基地局は、前記ゲートウェイに対して、前記移動機の移動を検出できたことを通知し、
前記ゲートウェイは前記コアネットワークに対してリロケーション検出（ＲＥｌｏｃａｔｉｏｎ  Ｄｅｔｅｃｔ）メッセージを送信する、
ことを特徴とする請求項８記載のフェムトセルシステム。
【請求項１０】
複数のフェムト基地局を管理するゲートウェイ装置であって、
移動機の移動元のマクロ／マイクロネットワークの基地局制御装置からのリロケーション要求を、上位のコアネットワークを介して受け取り、
同一スクランブリングコードを使用しているフェムトセルを特定し、
前記移動元のマクロ／マイクロネットワークからのリロケーション要求を、同一スクランブリングコードを使用している複数のフェムト基地局に対して転送し、前記複数のフェムト基地局からリロケーション要求の肯定メッセージを受け取ると、リロケーション要求の肯定を、前記上位のコアネットワークを介して前記基地局制御装置に通知し、前記移動機のマクロ／マイクロネットワークからフェムトネットワーク間のモビリティを実現するゲートウェイ装置。
【発明の詳細な説明】
【技術分野】
【０００１】
［関連出願についての記載］
本発明は、日本国特許出願：特願２００９−０７０６３２号（２００９年  ３月２３日出願）の優先権主張に基づくものであり、同出願の全記載内容は引用をもって本書に組み込み記載されているものとする。
本発明は、通信システムに関し、特に、フェムトセルシステムとモビリティ実現方法に関する。
【背景技術】
【０００２】
Ｗ−ＣＤＭＡ（Ｗｉｄｅｂａｎｄ  Ｃｏｄｅ  Ｄｉｖｉｓｏｎ  Ｍｕｌｔｉｐｌｅ  Ａｃｃｅｓｓ）等において、移動機から通知される移動先のセルを特定する情報はスクランブリングコード（Ｓｃｒａｍｂｌｉｎｇ  Ｃｏｄｅ）のみであり、基地局制御装置（ＲＮＣ：Ｒａｄｉｏ  Ｎｅｔｗｏｒｋ  Ｃｏｎｔｒｏｌｌｅｒ：無線ネットワーク制御装置）は、装置内に保持する管理テーブルを用いてスクランブリングコードとセルＩＤ（Ｃｅｌｌ  ＩＤ）のマッピングを行い、移動先のセルを特定している。【０００３】
フェムトセル（ｆｅｍｔｏ  ｃｅｌｌ）は家庭内にも設置される小型基地局であり、使用するスクランブリングコードや周波数は他セルと重複しないように自動設定が行われる。モビリティ処理について、図３を参照して説明する。図３において、基地局制御装置（ＲＮＣ）２０１、２０２と、セル３１１と３１２をそれぞれ管理する基地局装置（ＮｏｄｅＢ）３０１、３０２から構成されており、複数の基地局制御装置と、基地局にて、マクロ／マイクロエリアをカバーしている。【０００４】
上位ノードであるコアネットワーク（ＣＮ）１０１は、基地局制御装置（ＲＮＣ）２０１、２０２と接続している。また、移動機（ＵＥ：Ｕｓｅｒ  Ｅｑｕｉｐｍｅｎｔ）６０２は、マクロ／マイクロセル間の移動が可能である。フェムトセルがカバーできるエリアが数十メートルに対して、マクロセルがカバーできるエリアは数キロメートル以上に及ぶ。そのため、フェムトシステムの導入に伴い、マクロネットワークやマイクロネットワーク配下に多くのフェムトセルが設置された場合、マクロ／マイクロセル内に、同一のスクランブリングコードを使用するフェムトセルが多数存在し、マクロネットワークやマイクロネットワークのＲＮＣにおいては、移動機から通知されるスクランブリングコード情報だけでは移動先のセルを正しく特定することができなくなる。
【発明の概要】
【発明が解決しようとする課題】
【０００５】
以下に本発明による分析を与える。【０００６】
前述したように、移動先のセルは、そのスクランブリングコードとセルＩＤとが１：１の関係にあり、基地局制御装置（ＲＮＣ）は、移動機から通知されるスクランブリングコードに従い、移動先のセルを特定している。【０００７】
フェムトセルの導入に伴い、同一のスクランブリングコードを使用するセルが、マクロ／マイクロセル配下で複数存在してしまうと、基地局制御装置（ＲＮＣ）では、移動先のセルの特定ができない。【０００８】
またフェムトセルの導入に伴い、フェムトセル基地局が新たに設置される度に、例えば基地局制御装置（ＲＮＣ）では、マクロ／マイクロネットワークの近隣セル設定の更新（近隣セルを管理するテーブル等の更新）が必要となる。しかしながら、登録可能な近隣セル数には制限があるため、全てのフェムトセル基地局のセル情報を登録することはできない場合がある。【０００９】
したがって、本発明の目的は、移動先のセルが複数存在する場合においても、マクロ／マイクロネットワークへの変更を与えずに、移動機のネットワーク間の移動を実現可能とする方法とシステムを提供することにある。
【課題を解決するための手段】
【００１０】
本発明によれば、複数のフェムトセルを管理するノードにおいて、同一スクランブリングコードを使用しているフェムトセルを特定し、前記ノードは、移動元のマクロ又はマイクロネットワークからのリロケーション要求を複数のフェムトセルに対して転送することで、正しい移動先からの情報を取得し、移動機のネットワーク間のモビリティを実現する方法が提供される。【００１１】
本発明によれば、複数のフェムトセルを管理するノードにおいて、同一スクランブリングコードを使用しているフェムトセルを特定し、前記ノードは、移動元のマクロ／マイクロネットワークからのリロケーション要求を複数のフェムトセルに対して転送することで、正しい移動先からの情報を取得し、移動機のネットワーク間の移動を実現するシステムが提供される。本発明によれば、複数のフェムト基地局を管理するゲートウェイ装置であって、移動機の移動元のマクロ／マイクロネットワークの基地局制御装置からのリロケーション要求を、上位のコアネットワークを介して受け取り、同一スクランブリングコードを使用しているフェムトセルを特定し、前記移動元のマクロ／マイクロネットワークからのリロケーション要求を、同一スクランブリングコードを使用している複数のフェムト基地局に対して転送し、前記複数のフェムト基地局からリロケーション要求の肯定メッセージを受け取ると、リロケーション要求の肯定を、前記上位のコアネットワークを介して前記基地局制御装置に通知し、前記移動機のマクロ／マイクロネットワークからフェムトネットワーク間のモビリティを実現するゲートウェイ装置が提供される。
【発明の効果】
【００１２】
本発明によれば、移動先のセルが複数存在する場合においても、マクロ／マイクロネットワークへの変更を与えず、移動機のネットワーク間の移動を実現可能とする。
【図面の簡単な説明】
【００１３】
【図１】本発明の一実施の形態におけるフェムトセルシステムのネットワーク構成を示す図である。
【図２】本発明の一実施の形態におけるフェムトゲートウェイで保持する管理テーブルの一例を示す図である。
【図３】既存のネットワーク構成の一例を示す図である。
【図４】本発明の一実施の形態におけるＨＮＢ登録動作を示すシーケンス図である。
【図５】本発明の一実施の形態における処理シーケンス−１を示す図である。
【図６】本発明の一実施の形態における処理シーケンス−２を示す図である。
【図７】本発明の他の実施の形態における処理シーケンスを示す図である。
【発明を実施するための形態】
【００１４】
本発明の実施の形態について説明する。本発明の実施の形態において、複数のフェムト基地局を管理するノード（ゲートウェイ）は、同一スクランブリングコードを使用しているフェムトセルを特定し、移動元のマクロ／マイクロネットワークからのリロケーション要求を、同一スクランブリングコードを使用している複数のフェムト基地局に対して転送することで、正しい移動先からの情報を取得し、移動機のネットワーク間のモビリティを実現する。マクロネットワークやマイクロネットワークからフェムトネットワークへのノード切り替えにおいて、マクロネットワークやマイクロネットワークに影響を与えることなく、正しくフェムトセルシステムのノードへ切り替えを実現可能としている。本発明によれば、フェムトセルシステムにおいて、移動先のセルに複数の候補が存在する状況においても、正しく宛先を特定しリロケーション機能を実行することができる。
【００１５】
＜実施の形態１＞
図１は、本発明の第１の実施の形態に係るフェムトセルシステムのネットワーク構成を示す図である。図１において、マクロ／マイクロセルネットワークをカバーする基地局制御装置（ＲＮＣ）２０１と、基地局装置（ＮｏｄｅＢ）３０１と、フェムトセルネットワークをカバーするフェムトゲートウェイ（ＨＮＢ−ＧＷ）４０１と、複数のフェムト基地局装置（ＨＮＢ：Ｈｏｍｅ  Ｎｏｄｅ  Ｂ）５０１、５０２、５０３を備えている。１つのマクロ／マイクロセルエリアの中に複数のフェムトセルエリアが存在する。
【００１６】
上位ノードであるコアネットワーク（ＣＮ：Ｃｏｒｅ  Ｎｅｔｗｏｒｋ）１０１は、マクロ／マイクロセルとフェムトセルの両方のネットワークと接続している。
【００１７】
また、移動機（ＵＥ：Ｕｓｅｒ  Ｅｑｕｉｐｍｅｎｔ：「端末」ともいう）６０１は、マクロ／マイクロセルとフェムトセル間の移動が可能である。
【００１８】
フェムト基地局装置（ＨＮＢ）５０１、５０２、５０３は、インターネットなどを経由して、フェムトゲートウェイ（ＨＮＢ−ＧＷ）４０１と接続している。
【００１９】
フェムトゲートウェイ（ＨＮＢ−ＧＷ）４０１は、図２に示すように、フェムト基地局装置（ＨＮＢ）と、該フェムト基地局装置（ＨＮＢ）が使用するスクランブリングコード（ＳＣ）と、セルＩＤ（ＣＥＬＬ）とを対応付けて管理するテーブル（配下のフェムト基地局リスト）７０２（図２（Ｂ）参照）と、ＲＮＣ２０１に事前に登録したフェムトセルシステムで使用する予定のスクランブリングコード（ＳＣ）と、セルＩＤ（ＣＥＬＬ）の関連付けるテーブル７０１（図２（Ａ）参照）を備えている。なお、図２（Ａ）、図２（Ｂ）は、フェムトゲートウェイ（ＨＮＢ−ＧＷ）４０１が保持する管理テーブルを示しているが、図２（Ａ）のテーブル７０１は、基地局制御装置（ＲＮＣ）２０１に登録したセルリストであり、基地局制御装置（ＲＮＣ）２０１側にも同様な情報が保持される。
【００２０】
基地局制御装置（ＲＮＣ）２０１は、近隣ＲＮＣ情報としてフェムトゲートウェイ（ＨＮＢ−ＧＷ）４０１に割り当てられたＲＮＣ  ＩＤ情報と、フェムトゲートウェイ（ＨＮＢ−ＧＷ）４０１で使用するセル情報を保持している。
【００２１】
図１のコアネットワーク（ＣＮ）１０１には、回線交換サービスを実施するＭＳＣ（Ｍｏｂｉｌｅ  Ｓｗｉｔｃｈｉｎｇ  Ｃｅｎｔｅｒ）とパケット交換サービスを実施するＳＧＳＮ（Ｓｅｒｖｉｃｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）が存在するが、当業者にとってよく知られており、本発明の主題とは直接関係しないので、その詳細な構成は省略する。  
【００２２】
次に図４、図５、図６のシーケンス図を参照して、マクロ／マイクロネットワークからフェムトネットワークへのモビリティの動作を説明する。図４、図５、図６において、ＵＥ６０１、ＲＮＣ２０１、ＨＮＢ５０１、５０２、５０３、ＨＮＢ−ＧＷ４０１、ＣＮ１０１は、図１の移動機（ＵＥ）６０１、基地局制御装置（ＲＮＣ）２０１、フェムト基地局装置（ＨＮＢ）５０１、５０２、５０３、フェムトゲートウェイ（ＨＮＢ−ＧＷ）４０１、コアネットワーク（ＣＮ）１０１に対応する。
【００２３】
図４は、各ＨＮＢが宅内等に設置された際、接続するＨＮＢ−ＧＷ４０１に情報を登録する事前処理の手順の一例を示している。
【００２４】
ＨＮＢ５０１は、サービスを開始する前に周囲の環境をモニタリングし、最適なスクランブリングコードを選択する。セルＩＤについては、他のフェムト基地局と重複しない値を用いる（ステップＡ−１）。
【００２５】
ＨＮＢ５０１は、選択したスクランブリングコード＃ａと、セルＩＤ＃ＡＡを、ＨＮＢ−ＧＷ４０１に通知し（ＨＮＢＡＰ（Ｈｏｍｅ  ＮｏｄｅＢ  Ａｐｐｌｉｃａｔｉｏｎ  Ｐｒｏｔｃｏｌ）：ＨＮＢ  Ｒｅｇｉｓｔｅｒ  Ｒｅｑｕｅｓｔ（登録要求））（ステップＡ−２）、ＨＮＢ−ＧＷ４０１に新たなＨＮＢであることを登録してもらう。その際、ＨＮＢ−ＧＷ４０１は、問題ないＨＮＢであれば、登録を許可し、ＨＮＢ５０１に通知する（ＨＮＢＡＰ：ＨＮＢ  Ｒｅｇｉｓｔｅｒ  Ａｃｃｅｐｔ）（ステップＡ−３）。
【００２６】
同様に、ＨＮＢ５０２もサービスを開始する前に周囲の環境をモニタリングし、最適なスクランブリングコードを選択する。この場合、ＨＮＢ５０２のモニタリング可能なエリア外にＨＮＢ５０１が存在するため、ＨＮＢ５０２は、ＨＮＢ５０１と同一のスクランブリングコード＃ａを選択する（ステップＡ−４）。その後、セルＩＤ＃ＢＢと共に、ＨＮＢ−ＧＷ４０１に対してＨＮＢの新規登録を要求し（ステップＡ−５）、ＨＮＢ−ＧＷ４０１への登録許可が行われる（ステップＡ−６）。
【００２７】
ＨＮＢ５０３も、サービスを開始する前に周囲の環境をモニタリングするが、モニタリング可能なエリアに、ＨＮＢ５０２が存在するため、ＨＮＢ５０２とは異なるスクランブリングコード＃ｂを選択する（ステップＡ−７）。その後、セルＩＤ＃ＣＣと共にＨＮＢ−ＧＷ４０１に対してＨＮＢの新規登録を要求し（ステップＡ−８）、ＨＮＢ−ＧＷ４０１への登録許可が行われる（ステップＡ−９）。
【００２８】
上記処理を実行することで、ＨＮＢ−ＧＷ４０１の配下で３台のＨＮＢ５０１、５０２、５０３が無線電波を送信してサービスを開始し、ＨＮＢ−ＧＷ４０１は、各フェムト基地局が使用する情報（例えば、フェムト基地局のスクランブルコード、セルＩＤ）を管理テーブルとして（図２参照）装置に保持する。
【００２９】
次に、図２と図５、図６を参照して、本実施の形態におけるマクロ／マイクロネットワークからフェムトネットワークへのモビリティ手順を説明する。
【００３０】
本実施の形態では、ＨＮＢ５０１、５０２、５０３の３台がマクロ／マイクロネットワーク内に設置される構成を示しているが、将来的に設置されるフェムト基地局も存在する。そのため、ＲＮＣ２０１には、図２（Ａ）に示すように、事前に、ＨＮＢ−ＧＷ４０１配下のセルで使用されるスクランブリングコードのリストと対応するセルＩＤのリスト（テーブル７０１）が登録される。
【００３１】
なお、ＨＮＢ−ＧＷ４０１にて、スクランブリングコードとセルＩＤのマッピングが実行されるため、ＲＮＣ２０１に事前登録されるセルＩＤとＨＮＢが使用するセルＩＤは同一でなくても問題ない。
【００３２】
マクロネットワークへの移動のトリガーとして、ＲＮＣ２０１は、ＵＥ６０１から、ＲＲＣ（Ｒａｄｉｏ  Ｒｅｓｏｕｒｃｅ  Ｃｏｎｔｒｏｌ：無線資源制御）：Ｍｅａｓｕｒｅｍｅｎｔ  Ｒｅｐｏｒｔ（ＲＲＣプロトコルの測定報告結果転送信号）にて、スクランブリングコード＃ａという情報を受信する（ステップＢ−１）。
【００３３】
ＲＮＣ２０１は、内部に保持しているデータベース（テーブル）から、移動先のネットワークとセルＩＤ情報を取得する（ステップＢ−２）。
【００３４】
移動先がＲＮＣ２０１配下のセルではないため、移動先のセルを管理しているネットワークに対して位置変更を要求するＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔプロトコル）：Ｒｅｌｏｃａｔｉｏｎ  Ｒｅｑｕｉｒｅｄ（リロケーション要請）メッセージを、上位ノードであるＣＮ１０１に送信する（ステップＢ−３）。
【００３５】
ＣＮ１０１は、ＲＮＣ２０１から通知されたＲＮＣ  ＩＤから、ターゲットＲＮＣを特定し（ステップＢ−４）、ＲＡＮＡＰ：Ｒｅｌｏｃａｔｉｏｎ  Ｒｅｑｕｅｓｔ（リロケーション要求）メッセージを、ＨＮＢ−ＧＷ４０１に送信する（ステップＢ−５）。
【００３６】
ＣＮ１０１からＲＡＮＡＰ：Ｒｅｌｏｃａｔｉｏｎ  Ｒｅｑｕｅｓｔ（リロケーション要求）メッセージを受信したＨＮＢ−ＧＷ４０１は、ＣＮ１０１経由で、ＲＮＣ２０１から受信したセルＩＤ＃Ａ情報を元に、セルＩＤ＃Ａに関連付けされているスクランブリングコードを、図２（Ａ）のテーブル７０１から検索する。ＨＮＢ−ＧＷ４０１は、セルＩＤ＃Ａに関連付けされているスクランブリングコード＃ａを取得し、図２（Ｂ）のテーブル７０２を検索して、同一のスクランブリングコード＃ａを使用しているフェムト基地局を特定する。
【００３７】
この場合、図２（Ｂ）のテーブル７０２からスクランブリングコード＃ａを使用しているフェムト基地局は、ＨＮＢ５０１とＨＮＢ５０２であるため、ＨＮＢ−ＧＷ４０１は、ＨＮＢ５０１とＨＮＢ５０２に対して、ＣＮ１０１から受信したＲＡＮＡＰ：  Ｒｅｌｏｃａｔｉｏｎ  Ｒｅｑｕｅｓｔ（リロケーション要求）メッセージのセルＩＤ情報を、各フェムト基地局が保持しているセルＩＤ情報に変換して転送する（ステップＢ−６）。その際、ＨＮＢ−ＧＷ４０１は、ＨＮＢ５０１とＨＮＢ５０２に対して、ＲＵＡ（ＲＡＮＡＰ  Ｕｓｅｒ  Ａｐｐｌｉｃａｔｉｏｎ）：Ｄｉｒｅｃｔ  Ｔｒａｎｓｆｅｒ（ＲＡＮＡＰ：  Ｒｅｌｏｃａｔｉｏｎ  Ｒｅｑｕｅｓｔ）メッセージで転送を行う。
【００３８】
ＨＮＢ−ＧＷ４０１からメッセージをそれぞれ受信したＨＮＢ５０１とＨＮＢ５０２は、要求を受付けたことを、ＨＮＢ−ＧＷ４０１に返信する（ステップＢ−７）。
【００３９】
ＨＮＢ−ＧＷ４０１は、フェムト基地局からの複数のメッセージを受信後、ＣＮ１０１に対して、ＲＡＮＡＰ：Ｒｅｌｏｃａｔｉｏｎ  Ｒｅｑｕｅｓｔ  ＡＣＫ（リロケーション要求肯定応答）メッセージを１回だけ送信する（ステップＢ−８）。
【００４０】
ＣＮ１０１は、移動先のネットワークから許可が出たことをＲＮＣ２０１に対して通知する（ステップＢ−９）。
【００４１】
ＲＮＣ２０１は、ＣＮ１０１からのＲＡＮＡＰ：Ｒｅｌｏｃａｔｉｏｎ  Ｃｏｍｍａｎｄ（リロケーションコマンド）メッセージをトリガーに、ＵＥ６０１に対して、セル間の移動を要求する（ステップＢ−１０）。
【００４２】
ＵＥ６０１は、移動先のセルと無線同期を行う（ステップＢ−１１）。無線の同期確立を取ることができたＨＮＢ５０１は、ＨＮＢ−ＧＷ４０１に対して、ＵＥ６０１の移動を検出できたことを通知し（ステップＢ−１２）、ＨＮＢ−ＧＷ４０１は、ＣＮ１０１に対して結果を、ＲＡＮＡＰ：Ｒｅｌｏｃａｔｉｏｎ  Ｄｅｔｅｃｔ（リロケーション検出）メッセージを送信する（ステップＢ−１３）。
【００４３】
ＨＮＢ５０２においても、ＨＮＢ５０１と同様、移動機のネットワーク間の移動検出処理を実施しているが、ＨＮＢ５０１にて、ＵＥ６０１の移動を検出することができたため、ＨＮＢ−ＧＷ４０１は、ＨＮＢ５０２に対して処理を停止することを要求することも可能である。ＨＮＢ５０２は、ＨＮＢ−ＧＷ４０１からの停止要求に従い、処理を終了する（ステップＢ−１４）。
【００４４】
ＵＥ６０１は、ネットワークの移動が完了したことを、ＲＲＣ：Ｒａｄｉｏ  Ｂｅａｒｅｒ  Ｒｅｃｏｎｆｉｇｕｒａｔｉｏｎ  Ｃｏｍｐｌｅｔｅ（無線ベアラ再構成完了）メッセージでＨＮＢ５０１に通知を行う（ステップＢ−１５）。
【００４５】
ＨＮＢ５０１は、ＵＥ６０１の移動が完了したことを、ＨＮＢ−ＧＷ４０１を経由して、ＣＮ１０１に対してＲＡＮＡＰ：Ｒｅｌｏｃａｔｉｏｎ  Ｃｏｍｐｌｅｔｅ（リロケーション完了）メッセージで通知する（ステップＢ−１６）。
【００４６】
ＨＮＢ５０２に対して処理の中止要求を行っていない場合、ＨＮＢ５０２よりＩｕコネクション（ＳＧＳＮとＲＮＣ間のシグナリングコネクション）の解放要求がＨＮＢ−ＧＷ４０１に対して送信される可能性がある。
【００４７】
しかし、ＣＮ１０１に対してはネットワーク間の移動処理が完了したことを通知しているため、ＨＮＢ−ＧＷ４０１は、Ｉｕコネクション解放要求に対するレスポンスメッセージ（ＲＡＮＡＰ：  Ｉｕ  Ｒｅｌｅａｓｅ  Ｃｏｍｍａｎｄ）を生成して、ＨＮＢ５０２とのコネクション解放を行う（ステップＢ−１８）。
【００４８】
ＣＮ１０１は、ネットワークの切り替えが完了したことを、ＲＡＮＡＰ：Ｒｅｌｏｃａｔｉｏｎ  Ｃｏｍｐｌｅｔｅメッセージにて知るため、移動元のＲＮＣ２０１に対して、Ｉｕコネクションの解放処理を実行し（ステップＢ−１９）、ネットワークの切り替えが完了となる（ステップＢ−２０）。
【００４９】
上記した本実施の形態においては、下記の作用効果を奏する。
【００５０】
複数の移動先セルが存在する状況においても、移動元のネットワークに変更を加えることなく、移動機のマクロ／マイクロネットワークからフェムトネットワークへのモビリティを実現することができる。
【００５１】
最小限の近隣セル登録によって、移動機のマクロ／マイクロネットワークからフェムトネットワークへのモビリティを実現することができる。
【００５２】
＜実施の形態２＞
次に本発明の第２の実施の形態について説明する。本発明の第２の実施の形態の基本的構成は、前記第１の実施の形態と同様であるが、使用するスクランブリングコードが、フェムト基地局から通知されない場合においても、ＨＮＢ−ＧＷ４０１配下の全フェムト基地局（ＨＮＢ）に対してブロードキャストすることで、移動機のネットワーク間の移動を実現することを可能としている。本発明の第２の実施の形態では、ＨＮＢ−ＧＷ４０１はフェムト基地局（ＨＮＢ）から受信した、ＲＵＡ：Ｄｉｒｅｃｔ  Ｔｒａｎｓｆｅｒ（ＲＡＮＡＰ：Ｒｅｌｏｃａｔｉｏｎ  Ｒｅｑｕｅｓｔ  ＡＣＫ）メッセージを、全て、移動元のＲＮＣ２０１に転送することにより、ネットワーク間の移動を実現する。図７は、本発明の第２の実施の形態の処理シーケンスを示す図である。図１、図２、図７を参照して、本発明の第２の実施の形態の動作を説明する。
【００５３】
ＵＥ６０１からのＲＲＣ：Ｍｅａｓｕｒｅｍｅｎｔ  Ｒｅｐｏｒｔ（ＲＲＣプロトコルの測定報告結果転送信号）をＲＮＣ２０１が受信し、ＲＮＣ２０１は、ＣＮ１０１に対して、ＲＡＮＡＰ：Ｒｅｌｏｃａｔｉｏｎ  Ｒｅｑｕｉｒｅｄ（リロケーション要請）メッセージを送信し、ＣＮ１０１は、ＨＮＢ−ＧＷ４０１に対して、ＲＡＮＡＰ：Ｒｅｌｏｃａｔｉｏｎ  Ｒｅｑｕｅｓｔ（リロケーション要求）メッセージを送信するまでのシーケンスは、前記第１の実施の形態と同じである（Ｃ−１〜Ｃ−５）。
【００５４】
ＣＮ１０１から、ＲＡＮＡＰ：Ｒｅｌｏｃａｔｉｏｎ  Ｒｅｑｕｅｓｔメッセージを受信したＨＮＢ−ＧＷ４０１は、ＣＮ１０１経由で、ＲＮＣ２０１から受信したセルＩＤ＃Ａ情報を元に、セルＩＤ＃Ａと対応付けされるスクランブリングコードを、図２（Ａ）、（Ｂ）のテーブル７０１、７０２から検索し、同一のスクランブリングコードを使用しているフェムト基地局を特定する。
【００５５】
ＨＮＢ−ＧＷ４０１は、ＨＮＢ−ＧＷ４０１内の管理テーブル７０２を参照し、スクランブリングコード＃ａを使用しているフェムト基地局はＨＮＢ５０１とＨＮＢ５０２であることから、ＨＮＢ５０１とＨＮＢ５０２に対して、ＣＮ１０１から受信したＲＡＮＡＰ：Ｒｅｌｏｃａｔｉｏｎ  ＲｅｑｕｅｓｔメッセージのセルＩＤ情報を、各フェムト基地局が保持しているセルＩＤ情報に変換して、ＲＵＡ：Ｄｉｒｅｃｔ  Ｔｒａｎｓｆｅｒメッセージの転送を行う。
【００５６】
ＨＮＢ５０１、ＨＮＢ５０２は、ＨＮＢ−ＧＷ４０１からメッセージをそれぞれ受信し（ステップＣ−６）、要求を受付けたことをそれぞれＨＮＢ−ＧＷ４０１に返信する（ステップＣ−７）。
【００５７】
ＨＮＢ−ＧＷ４０１は、２つのＨＮＢ５０１、５０２からメッセージをそれぞれ受信した後、受信したそれぞれのメッセージをＲＡＮＡＰ：Ｒｅｌｏｃａｔｉｏｎ  Ｒｅｑｕｅｓｔ  ＡＣＫ（リロケーション要求肯定応答）メッセージに載せ換え、ＣＮ１０１に対して、ＨＮＢ５０１、５０２から受信した回数分（この例では２回）、ＲＡＮＡＰ：Ｒｅｌｏｃａｔｉｏｎ  Ｒｅｑｕｅｓｔ  ＡＣＫ（リロケーション要求肯定応答）メッセージを送信する（ステップＣ−８）。
【００５８】
ＣＮ１０１は、移動先のネットワークから許可が出たことを、ＲＮＣ２０１に対して、複数回通知する（ステップＣ−９）。
【００５９】
ＲＮＣ２０１は、ＣＮ１０１から受信したＲＡＮＡＰ：Ｒｅｌｏｃａｔｉｏｎ  Ｃｏｍｍａｎｄメッセージの回数だけ、ＵＥ６０１に対して、セル間の移動を要求する（ステップＣ−１０）。
【００６０】
ＵＥ６０１は、移動先の対象フェムトセル（ＨＮＢ）と無線同期確立を実行する。
【００６１】
複数のフェムトセルが、移動先の対象に含まれるが、無線の同期を取ることができたＨＮＢ５０１のみがＨＮＢ−ＧＷ４０１に対して、ＵＥ６０１の移動を検出できたことを通知し（ＲＵＡ：Ｄｉｒｅｃｔ  ｔｒａｎｓｆｅｒ（ＲＡＮＡＰ：Ｒｅｌｏｃａｔｉｏｎ  Ｄｅｔｅｃｔ））（ステップＣ−１２）、ＨＮＢ−ＧＷ４０１は、ＣＮ１０１に対して、結果をＲＡＮＡＰ：Ｒｅｌｏｃａｔｉｏｎ  Ｄｅｔｅｃｔ（リロケーション検出）メッセージを送信する（ステップＣ−１３）。その後の動作は、前記第１の実施の形態（図６）と同じであるため、詳細説明は省略する。
【００６２】
本発明の全開示（請求の範囲を含む）の枠内において、さらにその基本的技術思想に基づいて、実施の形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【００６３】
上記した本発明、実施の形態をまとめると、以下のように付記される。
【００６４】
（付記１）
複数のフェムトセルを管理するノードにおいて、同一スクランブリングコードを使用しているフェムトセルを特定し、
前記ノードは、移動元のマクロ／マイクロネットワークからのリロケーション要求を複数のフェムトセルに対して転送することで、正しい移動先のフェムトセルからの情報を取得し、移動機のネットワーク間の移動を実現する、
ことを特徴とする、フェムトセルシステムにおけるマクロセル／マイクロセルとのモビリティ実現方法。
（付記２）
複数のフェムトセルを管理するノードが、前記複数のフェムトセルにそれぞれ対応する複数のフェムト基地局に接続し前記複数のフェムト基地局を管理するゲートウェイからなり、
前記ゲートウェイは、前記移動元のマクロ／マイクロネットワークの基地局制御装置からのリロケーション要求を、上位のコアネットワークを介して受け取る、
ことを特徴とする、付記１記載のフェムトセルシステムにおけるマクロセル／マイクロセルとのモビリティ実現方法。
（付記３）
前記基地局制御装置は、前記移動機からスクランブリングコード情報を受信し、
前記基地局制御装置は、移動先のネットワークとセルＩＤ情報を取得し、
移動先が前記基地局制御装置配下のセルでない場合には、リロケーション要請（Ｒｅｌｏｃａｔｉｏｎ  Ｒｅｑｕｉｒｅｄ）メッセージを前記コアネットワークに送信し、
前記コアネットワークは、前記基地局制御装置から通知された基地局制御装置ＩＤから目的の基地局制御装置を特定し、リロケーション要求（Ｒｅｌｏｃａｔｉｏｎ  Ｒｅｑｕｅｓｔ）メッセージを前記ゲートウェイに送信し、
前記ゲートウェイは、配下のフェムト基地局に関連してセルＩＤに関連付けされているスクランブルコードを管理テーブルから検索し、同一のスクランブルコードを使用している複数のフェムト基地局を特定し、
前記ゲートウェイは、前記コアネットワークから受信したセルＩＤ情報を、各フェムト基地局が保持しているセルＩＤ情報に変換して、前記複数のフェムト基地局に対して転送し、
前記ゲートウェイは、前記複数のフェムト基地局からのリロケーション要求肯定（Ｒｅｌｏｃａｔｉｏｎ  Ｒｅｑｕｅｓｔ  ＡＣＫ）メッセージを受信した後、前記コアネットワークに対して、リロケーション要求の肯定（Ｒｅｌｏｃａｔｉｏｎ  Ｒｅｑｕｅｓｔ  ＡＣＫ）メッセージを送信し、
前記コアネットワークは、移動先のネットワークから許可が出たことを、前記基地局制御装置に対して通知し、
前記基地局制御装置は、前記コアネットワークからのリロケーションコマンドメッセージをトリガーに前記移動機に対してセル間の移動を要求し、前記移動機は移動先のセルと無線同期確立を行う、
ことを特徴とする付記２記載のフェムトセルシステムにおけるマクロセル／マイクロセルとのモビリティ実現方法。
（付記４）
前記移動機と無線同期を取ることができたフェムト基地局は、前記ゲートウェイに対して、前記移動機の移動を検出できたことを通知し、
前記ゲートウェイは前記コアネットワークに対してリロケーション検出（ＲＥｌｏｃａｔｉｏｎ  Ｄｅｔｅｃｔ）メッセージを送信する、
ことを特徴とする付記３記載のフェムトセルシステムにおけるマクロセル／マイクロセルとのモビリティ実現方法。
（付記５）
前記移動機はネットワークの移動が完了したことを、無線ベアラ再構成完了メッセージで前記フェムト基地局に通知を行い、
前記フェムト基地局は、前記移動機の移動が完了したことを、前記ゲートウェイを経由して前記コアネットワークに対してリロケーション完了メッセージで通知する、
ことを特徴とする付記４記載のフェムトセルシステムにおけるマクロセル／マイクロセルとのモビリティ実現方法。
（付記６）
前記ゲートウェイは、Ｉｕコネクション解放要求に対するレスポンスメッセージ（Ｉｕ  Ｒｅｌｅａｓｅ  Ｃｏｍｍａｎｄ））を生成して、前記フェムト基地局と同一のスクランブリングコードが割り当てられた他のフェムト基地局とのコネクション解放を行い、
前記コアネットワークは、ネットワークの切り替えが完了したことをリロケーション完了メッセージで知り、移動元の前記基地局制御装置に対してコネクションの解放処理（Ｉｕ  Ｒｅｌｅａｓｅ  Ｃｏｍｍａｎｄ）を送信する、
ことを特徴とする付記５記載のフェムトセルシステムにおけるマクロセル／マイクロセルとのモビリティ実現方法。
（付記７）
前記フェムト基地局は、サービスを開始する前に周囲の環境をモニタリングし、スクランブリングコードを選択し、前記スクランブリングコードを選択したセルＩＤと共に前記ゲートウェイに対して新規登録を要求し、前記ゲートウェイへの登録が行われる、
ことを特徴とする付記１乃至６のいずれか一に記載のフェムトセルシステムにおけるマクロセル／マイクロセルとのモビリティ実現方法。
（付記８）
前記フェムト基地局から前記スクランブリングコードが通知されない場合に、前記ゲートウェイ配下の全フェムト基地局に対してブロードキャストし、前記移動機のネットワーク間の移動を実現する、
ことを特徴とする付記１乃至６のいずれか一に記載のフェムトセルシステムにおけるマクロセル／マイクロセルとのモビリティ実現方法。
（付記９）
リロケーション要求（Ｒｅｌｏｃａｔｉｏｎ  Ｒｅｑｕｅｓｔ）メッセージを受信した前記ゲートウェイは、前記コアネットワーク経由で、基地局制御装置から受信したセルＩＤ情報を元に、セルＩＤと対応付けされるスクランブリングコードを管理テーブルから検索し、同一のスクランブリングコードを使用している複数のフェムト基地局を特定し、前記複数のフェムト基地局に対して、前記コアネットワークから受信したリロケーション要求メッセージのセルＩＤ情報を、各フェムト基地局が保持しているセルＩＤ情報に変換して転送を行い、
前記複数のフェムト基地局から複数のメッセージを受信後、前記コアネットワークに対して、受信したメッセージをリロケーション要求肯定応答メッセージに載せ換えて、受信した回数だけ送信し、
前記コアネットワークに対して、移動先のネットワークから許可が出たことを、前記基地局制御装置に対して、複数回通知し、
前記基地局制御装置は、前記コアネットワークから受信したリロケーションコマンドメッセージの回数だけ、前記移動機に対して、セル間の移動を要求し、
前記移動機は移動先の対象セルのフェムト基地局と無線同期確立を実行し、無線の同期を取ることができたフェムト基地局が前記ゲートウェイに対して、移動機の移動を検出できたことを通知し、
前記ゲートウェイは、前記コアネットワークに対してリロケーション検出メッセージを送信する、
ことを特徴とする付記８に記載のフェムトセルシステムにおけるマクロセル／マイクロセルとのモビリティ実現方法。
（付記１０）
複数のフェムトセルを管理するノードにおいて、同一スクランブリングコードを使用しているフェムトセルを特定し、
前記ノードは、移動元のマクロ／マイクロネットワークからのリロケーション要求を複数のフェムトセルに対して転送することで、正しい移動先のフェムトセルからの情報を取得し、移動機のネットワーク間の移動を実現する、
ことを特徴とするフェムトセルシステム。
（付記１１）
複数のフェムトセルを管理するノードが、前記複数のフェムトセルにそれぞれ対応する複数のフェムト基地局に接続し前記複数のフェムト基地局を管理するゲートウェイからなり、
前記ゲートウェイは、前記移動元のマクロ／マイクロネットワークの基地局制御装置からのリロケーション要求を、上位のコアネットワークを介して受け取る、
ことを特徴とする付記１０記載のフェムトセルシステム。
（付記１２）
前記基地局制御装置は、前記移動機からスクランブリングコード情報を受信し、
前記基地局制御装置は、移動先のネットワークとセルＩＤ情報を取得し、
移動先が前記基地局制御装置配下のセルでない場合には、リロケーション要請（Ｒｅｌｏｃａｔｉｏｎ  Ｒｅｑｕｉｒｅｄ）メッセージを前記コアネットワークに送信し、
前記コアネットワークは、前記基地局制御装置から通知された基地局制御装置ＩＤから目的の基地局制御装置を特定し、リロケーション要求（Ｒｅｌｏｃａｔｉｏｎ  Ｒｅｑｕｅｓｔ）メッセージを前記ゲートウェイに送信し、
前記ゲートウェイは、配下のフェムト基地局に関連してセルＩＤに関連付けされているスクランブルコードを管理テーブルから検索し、同一のスクランブルコードを使用している複数のフェムト基地局を特定し、
前記ゲートウェイは、前記コアネットワークから受信したセルＩＤ情報を、各フェムト基地局が保持しているセルＩＤ情報に変換して、前記複数のフェムト基地局に対して転送し、
前記ゲートウェイは、前記複数のフェムト基地局からのリロケーション要求肯定（Ｒｅｌｏｃａｔｉｏｎ  Ｒｅｑｕｅｓｔ  ＡＣＫ）メッセージを受信した後、前記コアネットワークに対して、リロケーション要求の肯定（Ｒｅｌｏｃａｔｉｏｎ  Ｒｅｑｕｅｓｔ  ＡＣＫ）メッセージを送信し、
前記コアネットワークは、移動先のネットワークから許可が出たことを、前記基地局制御装置に対して通知し、
前記基地局制御装置は、前記コアネットワークからのリロケーションコマンドメッセージをトリガーに前記移動機に対してセル間の移動を要求し、前記移動機は移動先のセルと無線同期確立を行う、
ことを特徴とする付記１１記載のフェムトセルシステム。
（付記１３）
前記移動機と無線同期を取ることができたフェムト基地局は、前記ゲートウェイに対して、前記移動機の移動を検出できたことを通知し、
前記ゲートウェイは前記コアネットワークに対してリロケーション検出（ＲＥｌｏｃａｔｉｏｎ  Ｄｅｔｅｃｔ）メッセージを送信する、
ことを特徴とする付記１２記載のフェムトセルシステム。
（付記１４）
前記移動機はネットワークの移動が完了したことを、無線ベアラ再構成完了メッセージで前記フェムト基地局に通知を行い、
前記フェムト基地局は、前記移動機の移動が完了したことを、前記ゲートウェイを経由して前記コアネットワークに対してリロケーション完了メッセージで通知する、
ことを特徴とする付記１３記載のフェムトセルシステム。
（付記１５）
前記ゲートウェイは、Ｉｕコネクション解放要求に対するレスポンスメッセージ（Ｉｕ  Ｒｅｌｅａｓｅ  Ｃｏｍｍａｎｄ））を生成して、前記フェムト基地局と同一のスクランブリングコードが割り当てられた他のフェムト基地局とのコネクション解放を行い、
前記コアネットワークは、ネットワークの切り替えが完了したことをリロケーション完了メッセージで知り、移動元の前記基地局制御装置に対してコネクションの解放処理（Ｉｕ  Ｒｅｌｅａｓｅ  Ｃｏｍｍａｎｄ）を送信する、
ことを特徴とする付記１４記載のフェムトセルシステム。
（付記１６）
前記フェムト基地局は、サービスを開始する前に周囲の環境をモニタリングし、スクランブリングコードを選択し、前記スクランブリングコードを選択したセルＩＤと共に前記ゲートウェイに対して新規登録を要求し、前記ゲートウェイへの登録が行われる、
ことを特徴とする付記１０乃至１５のいずれか一に記載のフェムトセルシステム。
（付記１７）
前記フェムト基地局から前記スクランブリングコードが通知されない場合に、前記ゲートウェイ配下の全フェムト基地局に対してブロードキャストし、前記移動機のネットワーク間の移動を実現する、
ことを特徴とする付記１０乃至１５のいずれか一に記載のフェムトセルシステム。
（付記１８）
リロケーション要求（Ｒｅｌｏｃａｔｉｏｎ  Ｒｅｑｕｅｓｔ）メッセージを受信した前記ゲートウェイは、前記コアネットワーク経由で、基地局制御装置から受信したセルＩＤ情報を元に、セルＩＤと対応付けされるスクランブリングコードを管理テーブルから検索し、同一のスクランブリングコードを使用している複数のフェムト基地局を特定し、前記複数のフェムト基地局に対して、前記コアネットワークから受信したリロケーション要求メッセージのセルＩＤ情報を、各フェムト基地局が保持しているセルＩＤ情報に変換して転送を行い、
前記複数のフェムト基地局から複数のメッセージを受信後、前記コアネットワークに対して、受信したメッセージをリロケーション要求肯定応答メッセージに載せ換えて、受信した回数だけ送信し、
前記コアネットワークに対して、移動先のネットワークから許可が出たことを、前記基地局制御装置に対して、複数回通知し、
前記基地局制御装置は、前記コアネットワークから受信したリロケーションコマンドメッセージの回数だけ、前記移動機に対して、セル間の移動を要求し、
前記移動機は移動先の対象セルのフェムト基地局と無線同期確立を実行し、無線の同期を取ることができたフェムト基地局が前記ゲートウェイに対して、移動機の移動を検出できたことを通知し、
前記ゲートウェイは、前記コアネットワークに対してリロケーション検出メッセージを送信する、
ことを特徴とする付記１７記載のフェムトセルシステム。
【符号の説明】
【００６５】
１０１  コアネットワーク（ＣＮ）
２０１、２０２  基地局制御装置（ＲＮＣ）
３０１、３０２  基地局装置（ＮｏｄｅＢ）
３１１、３１２  セル
４０１  フェムトゲートウェイ（ＨＮＢ−ＧＷ）
５０１、５０２、５０３  フェムト基地局（ＨＮＢ）
６０１、６０２  移動機（ＵＥ）
７０１、７０２  テーブル
【図１】
2010110240.tif 000003
【図２】
2010110240.tif 000004
【図３】
2010110240.tif 000005
【図４】
2010110240.tif 000006
【図５】
2010110240.tif 000007
【図６】
2010110240.tif 000008
【図７】
2010110240.tif 000009
【国際調査報告】
2010110240.tif 000010
2010110240.tif 000011